(57)【要約】【課題】リング状の表示面を一方の端面に有する透光リングに他方の端面から光源の光を照射するに当たって、リング状の表示面に対する照明ムラを低減したリング状光学的表示面を備えた電子機器を提供する。【解決手段】光源である発光ダイオード７０４は光の発光方向を透光リング７０３の外周から中心点に向かう方向に配し、透光リング７０３は表示面３０２の外周外に対応する位置において発光ダイオード７０４の正面に発光方向に対向して遮光シート７０９を備え、発光ダイオード７０４の光を遮光シート７０９で遮光して直接に透光リング７０３に入り込ませずに拡散してから入来させ、表示面３０２における輝度の差異による照明ムラを低減するように構成した。【選択図】図３
2011243411.tif 000002
【特許請求の範囲】
【請求項１】
リング状の光学的な表示面を端面に有する透光リングに光源から光を照射し、該表示面から光を放射して動作状態を表示するように構成したリング状光学的表示面を備えた電子機器であって、
前記光源は、光の発光方向が前記透光リングの外周から中心点に向かう方向で配され、前記透光リングは、前記表示面の外周外に対応する位置において前記光源の正面に位置して前記発光方向に対向する遮光面を備えていることを特徴とするリング状光学的表示面を備えた電子機器。
【請求項２】
前記透光リングは、前記表示面の外周外に対応する位置において凹部が形成され、前記光源の発光方向に対向して位置する該凹部の壁面に前記遮光面が配置されていることを特徴とする請求項１に記載のリング状光学的表示面を備えた電子機器。
【請求項３】
前記遮光面は凸状に形成されていることを特徴とする請求項１又は請求項２に記載のリング状光学的表示面を備えた電子機器。
【発明の詳細な説明】
【技術分野】
【０００１】
本発明は、リング状の光学的な表示面を端面に有する透光リングに光源から光を照射し、該発光面から光を放射して動作状態を表示するように構成したリング状光学的表示面を備えた電子機器に関するものである。
【背景技術】
【０００２】
近年、各種電子機器においては、光学的な方法によって操作箇所、動作状態などを示す技術がとられている。このように光学的な表示手段を用いることは電子機器の使用者にとって操作が確実に行えることで極めて有効なことである。
【０００３】
従来、光学的な表示手段としてリング状の表示面を用いた電子機器が存在する。この種のリング状光学的表示面付き電子機器としては、骨伝導電話機がある。これは難聴者、及び飛行場、工事現場、高速道路などの大きな騒音の下で作業に従事する者が使用することで普及している。骨伝導電話機の使用方法は受話部を耳の前方又は後方の部位に当てて骨を介して音声信号を内耳に伝えるものである。
【０００４】
図５に従来の骨伝導電話機を具体的に示すが、骨伝導電話機１００は、全体的に扁平で棒状に形成されたケース２００と、ケース２００の前面上方に配置された受話部３００と、ケース２００の前面下方に配置された送話部４００と、ケース２００の中央下方部分に配置されたキーボードからなる操作部５００と、ケース２００の中央上方部分に配置された液晶パネルからなるディスプレイ６００とから構成されている。ケース２００内には、各種の電子部品（図示せず）を収納している。この電子機器１００は親機とコードレスで信号の送受信が行われるようになっている。
【０００５】
受話部３００は、ケース２００の表面に露出した円盤状のカバー３１０と、カバー３１０の周囲にリング状に露出した表示面３２０と、カバー３１０の下方に設けられたスピーカ３３０と、スピーカ３３０などをケース２００に取付けるための取付けフレーム３４０と、表示面３２０の下方に設けられた後述する光源部とから構成されている。また、ケース２００にはカバー３０１と表示面３０２が露出するための円形状の開口２１０が形成されている。
【０００６】
図６に、図５示す骨伝導電話機１００において、ケース２０から取外した状態の受話器３００を示す。受話器３０は表示面３２０の下方には光源部７００が設けられている。光源部７００は、内部にスピーカ３３０を納める円筒状の支持フレーム７１０と、支持フレーム７１０の外周に配されたリング状プリント基板７２０と、リング状プリント基板７２０の上方に配され上端面が表示面３２０となった透光リング７３０と、透光リング７３０の下端面に対向してリング状プリント基板７０２上に配された光源である発光ダイオード７４０とから構成されている。
【０００７】
このような従来の骨伝導電話機１００は、呼び出し及び通話状態に応じて発光ダイオード７４０が発光し、この光が透光リング７３０を透って表示面３２０を照射し、表示面３２０から放射される光によって使用者に呼び出し及び通話状態にあることを視覚で伝えるようになっている。しかし、使用者は表示面３２０の前方から発光ダイオード７４０を認めることができるため、この部分において輝度が高くなり、そこから離れるに従って輝度が低くなり、明るさにムラを生じるという問題があった。
【０００８】
そこで、この問題点を解消するためには、下記の特許文献１（特開平５−１５３２１４号公報）に示す従来技術を適用する方法が考えられる。この従来技術は、電話機のプッシュボタン構造に適用したものである。このプッシュボタン構造は、プリント基板上に設けられたＬＥＤを内装するようにラバースイッチが設けられると共に、機器本体に設けられたスイッチ部上に配置され、該スイッチ部の内周導光部上をＬＥＤの光が通過してプッシュボタンが点灯するようになされたものであって、スイッチ部の内周導光部のＬＥＤ表面近傍の位置に、薄膜が形成されると共に、内周導光部がテーパ状となされている。
【０００９】
このような構成の従来技術は、ＬＥＤの光が、まず薄膜で拡散されることとなる。そして、ＬＥＤとプッシュボタンとの距離、すなわちスイッチ部の高さに応じて形成されたテーパ上の内周導光部に沿って、ＬＥＤの光が広がり、プッシュボタンの裏面から均等に照射されることとなる。その結果、プッシュボタンの表面には、照明ムラもなく、各プッシュボタンがバランスのとれた光量で点灯することとなる。
【先行技術文献】
【特許文献】
【００１０】
【特許文献１】特開平５−１５３２１４号公報（段落００１３、段落００１８）
【発明の概要】
【発明が解決しようとする課題】
【００１１】
しかしながら、上述した特許文献１で示す従来技術は、プッシュボタンのように狭い範囲を照明するときには照明ムラを低減することができるが、前述したリング状表示面のように照明される部分が長く延在しているものにあっては照明ムラを低減することができない。即ち、従来技術は光源の真上には光が十分にとどくが光源から遠い部分まで光を十分に拡散することが不可能であるので照明ムラを低減できないという問題点があった。
【００１２】
勿論、リング状の表示面に沿って多数の光源を配置する方法が考えられるが、この方法では多数の光源を必要としコスト的に不利であるばかりでなく、光源を配置するための空間を多く必要とし小型の電子機器に適用することが難しくなるという問題点があった。
【００１３】
従って、本発明は、上記の問題点を解消することを課題とし、リング状の照射される面が長い表示面であっても少ない個数の光源で照射ムラのない光学的な表示がなされるリング状光学的表示面付き電子機器を提供することを目的とするものである。
【課題を解決するための手段】
【００１４】
前記課題を解決するために、本願の請求項１に係るリング状光学的表示面を備えた電子機器の発明は、リング状の表示面を端面に有する透光リングに光源から光を照射し、該表示面から光を放射して動作状態を表示するように構成したリング状光学的表示面を備えた電子機器であって、前記光源は、光の発光方向が前記透光リングの外周から中心点に向かう方向で配され、前記透光リングは、前記表示面の外周外に対応する位置において前記光源の正面に位置して前記発光方向に対向する遮光面（例えば実施例では、遮光シート７０９）を備えていることを特徴とする。
【００１５】
また、本願の請求項２に係る発明は、請求項１に記載のリング状光学的表示面を備えた電子機器において、前記透光リングは、前記表示面の外周外に対応する位置において凹部が形成され、前記光源の発光方向に対向して位置する該凹部の壁面に前記遮光面が配置されていることを特徴とする。
【００１６】
また、本願の請求項３に係る発明は、請求項１又は請求項２に記載のリング状光学的表示面を備えた電子機器において、前記遮光面は凸状に形成されていることを特徴とする
【発明の効果】
【００１７】
本発明のリング状光学的表示面付き電子機器は、次に示すような優れた効果を奏する。
【００１８】
即ち、請求項１に係る発明においては、光源から発光される光がリング状の表示面の外周外に位置した遮光面に当たって遮光され、光源からの光が透光リングに直接に入り込むことなく遮光面で拡散され、この光が透光リングに入り更に拡散しながら表示面へと至るように構成されている。そのため、表示面には光源の光が直接に照射されず、いわゆる間接照明と同様の構成となり、遮光面により拡散された光が照射されるので、全体的に輝度の差異を少なくして照明ムラのない発光状態で表示するリング状光学的表示面を備えた電子機器を提供できる。
【００１９】
また、請求項２に係る発明においては、透光リングに凹部が形成され、この凹部内の光源の発光方向に垂立する壁面に遮光面が配置されて構成されているので、遮光面の配置が簡単にできる。
【００２０】
また、請求項３に係る発明においては、遮光面が凸状に形成されているので、光源からの光が広く拡散し透光リング内に至る。そのため、表示面には広く拡散された光が照射されるので全体的に輝度の差異のない発光状態を確実に得ることができる。
【図面の簡単な説明】
【００２１】
【図１】本発明の一実施例に係るリング状光学的表示面付き電子機器として適用された骨伝導電話機であって、図１（ａ）は骨伝導電話機の正面図、図１（ｂ）は図１（ａ）をＡ−Ａ線で切断した断面図である。
【図２】図１における骨伝導電話機の受話部を示し、図２（ａ）は受話部の正面図、図２（ｂ）は図２（ａ）をＢ−Ｂ線で切断した断面図である。
【図３】図１における骨伝導電話機の光源部における透光リングを下方から見た斜視図である。
【図４】図１における受話部について組み込む前の状態を示す斜視図である。
【図５】従来のリング状光学的表示面付き電子機器として適用された骨伝導電話機であって、図５（ａ）は骨伝導電話機の正面図、図５（ｂ）は図５（ａ）をＣ−Ｃ線で切断した断面図である。
【図６】図５における骨伝導電話機の受話部を示し、図５（ａ）は受話部の正面図、図５（ｂ）は図５（ａ）をＤ−Ｄ線で切断した断面図である。
【発明を実施するための形態】
【００２２】
以下、本発明の具体例を実施例及び図面を用いて詳細に説明する。但し、以下に示す実施例は、本発明の技術的思想を具体化するためのリング状光学的表示面付き電子機器としての骨伝導電話機を例示するものであって、本発明をこのリング状光学的表示面付き電子機器に特定することを意図するものでなく、特許請求の範囲に含まれるその他の実施形態のリング状光学的表示面付き電子機器にも等しく適用し得るものである。
【実施例】
【００２３】
図１は本発明の一実施例に係るリング状光学的表示面付き電子機器として適用された骨伝導電話機であって、図１（ａ）は骨伝導電話機の正面図、図１（ｂ）は図１（ａ）をＡ−Ａ線で切断した断面図である。
【００２４】
本実施例に係るリング状光学的表示面付き電子機器は骨伝導電話機１０に適用されたものであり、図１（ａ）、（ｂ）で示すように、全体的に扁平で棒状に形成されたケース２０と、ケース２０の前面上方に配置された受話部３０と、ケース２０の前面下方に配置された送話部４０と、ケース２０の中央下方部分に配置されたキーボードからなる操作部５０と、ケース２０の中央上方部分に配置された液晶パネルからなるディスプレイ６０とから構成されている。ケース２０は、フロントケース２０１とバックケース２０２とからなり、各種の電子部品（図示せず）を収納している。この骨伝導電話機１０は親機とコードレスで信号の送受信が行われるようになっている。
【００２５】
受話部３０は、ケース２０の表面に露出した円盤状のカバー３０１と、カバー３０１の周囲にリング状に露出した表示面３０２と、カバー３０１の下方に設けられたスピーカ３０３と、カバー３０１、スピーカ３０３などをケース２０に取付けるための取付けフレーム３０４と、表示面３０２の下方に設けられた後述する光源部とから構成されている。また、ケース２０にはカバー３０１と表示面３０２が露出するための円形状の開口２０３が形成されている。
【００２６】
骨伝導電話器１０は使用者が受話部３０を耳の後方、又は前方の部位に当てることによってスピーカ３０３からの音声信号がカバー３０１を介して骨伝導により内耳へと伝えられるようになっている。また、表示面３０２は電話の呼び出し、及び通話状態に応じて光源部からの照射光によって発光し、使用者に呼び出し、及び通話状態にあることを視覚で伝えるようになっている。
【００２７】
図２は骨伝導電話機１０の受話部３０を示し、図２（ａ）は受話部３０の正面図、図２（ｂ）は図２（ａ）をＢ−Ｂ線で切断した断面図である。受話部３０はケース２０から取外した状態であって、表示面３０２の下方には光源部７０が設けられている。光源部７０は、内部にスピーカ３０３を納める円筒状の支持フレーム７０１と、支持フレーム７０１の外周に配されたリング状プリント基板７０２と、リング状プリント基板７０２の上方に配され上端面が表示面３０２となった透光リング７０３と、リング状プリント基板７０２上に配された光源である例えば発光ダイオード７０４とから構成されている。
【００２８】
ここで、透光リング７０３は透明性の合成樹脂材からなり所定の厚みを有して筒状に形成されている。また、透光リング７０３は支持フレーム７０１の外周に嵌合され下端面がリング状プリント基板７０２上面に当接して配されている。発光ダイオード７０４は透光リング７０３の外周面の外方、即ち表示面３０２の外周外に配置されている。また、発光ダイオード７０４の向きは発光する光の方向がリング状プリント基板７０２の中心点、すなわち透光リング７０３の中心点に向いて配置されている。そして、発光ダイオード７０４はリング状プリント基板７０２上に等間隔に４個設けられている（図２（ａ）参照）。
【００２９】
支持フレーム７０１は外周の下端にプリント基板支持用鍔７０５が形成されている。リング状プリント基板７０２は支持フレーム７０１の外周に嵌合されプリント基板支持用鍔７０５によって支持されている。また、支持フレーム７０１の上部にはカバー３０１が取り付けられている。このカバー３０１は支持フレーム７０１内部のスピーカ３０３の振動部分に当接した状態になっている。
【００３０】
透光リング７０３の外周には、不透明の白濁した合成樹脂材からなる外周リブ７０６が設けられている。この外周リブ７０６はフロントケース２０１と一体に形成されている。
【００３１】
図３における透光リング７０３を示す斜視図からも明らかなように、透光リング７０３は、その下端外周にリング状プリント基板７０２を全面的に覆うようにして鍔７０７が一体に形成されている。この鍔７０７には、発光ダイオード７０４に対向して凹部７０８が形成されている。凹部７０８の入口には発光ダイオード７０４が位置される。そして、発光ダイオード７０４の発光方向に対して垂立する凹部７０８の壁には光を遮る遮光面である遮光シート７０９が付されている。即ち、発光ダイオード７０４、遮光シート７０９はリング状の表示面３０２の外周外に位置している。なお、遮光シート７０９は平面状であってもよいが、拡散効果を高めるために凸面状とすることが好ましい。
【００３２】
図４において、受話部３０、光源部７０の組み込み状態を示す。フロントケース２０１の背面方向から開口２０３に対してカバー３０１と透光リング７０３が位置され、透光リング７０３の後方にリング状プリント基板７０２、支持フレーム７０１、スピーカ３０３、及び取付けフレーム３０４が順次位置されている。そして、これらカバー３０１、透光リング７０３、リング状プリント基板７０２、支持フレーム７０１などの部材は取付けフレーム３０４をねじ８０によってフロントケース２０１に固定することにより一体に組み込まれる。また、この組み込み際には、スピーカ３０３は前後にはクッション用シート３０５が付されている。
【００３３】
この組み込まれた状態は、スピーカ３０３が支持フレーム７０１の内側に位置し、透光リング７０３が支持フレーム７０１の外側に位置して組み込まれている。リング状プリント基板７０２は支持フレーム７０１の外周においてプリント基板支持用鍔７０５と透光リング７０３の下面とに挟まれて組み込まれている。リング状プリント基板７０２上の発光ダイオード７０４は凹部７０８の入り口に位置して発光方向を透光リング７０３の中心点に向けて配されている。
【００３４】
次に、上述した実施例の骨伝導電話機１０における動作について説明する。骨伝導電話機１０は呼び出し、又は通話状態において発光ダイオード７０４が発光される。この発光され直進する光は、透光リング７０３の外周から中心点に向って凹部７０８内を進み、遮光リング７０３の外周外に位置する遮光シート７０９に至る。遮光シート７０９に至った光は遮光されて透光リング７０３内に直接に入り込まず拡散する。拡散した後には透光リング７０８内に入り込み発光面３０２を照射する。即ち、発光面３０２の前方からは、発光ダイオード７０４、遮光シート７０９は直視できず拡散された光のみが認められる。
【００３５】
このように、本発明にかかるリング状光学的表示面付き電子機器においては、発光ダイオード７０４からの光が透光リング７０３に直接に入り込むことなく遮光シート７０９で拡散され、この光が透光リング７０３に入り更に拡散しながら表示面へと至るように構成されている。そのため、表示面には発光ダイオード７０３の光が直接に照射されず、いわゆる間接照明と同様の構成となり、遮光シート７０９により拡散された光が照射されるので、全体的に輝度の差異を少なくして照明ムラをなくすことができる。
【００３６】
透光リング７０３は、内周面が不透明の支持フレーム７０１で覆われ、外周面が同じく不透明の外周リブ７０６で覆われているので、光が外部に漏れることなくリング状に拡散して表示面３０２に至る。鍔７０７においても、その外周面が支持フレーム７０１と外周リブ７０６で覆われているので光が外部に漏れることなく拡散して透光リング７０３を介して表示面３０２に至る。
【００３７】
これら発光ダイオード７０４、遮光シート７０９は等間隔で４箇所に配置され、夫々の位置で光を広範囲に拡散しているので、リング状の発光面３０２には輝度に差異のない均一な光が至る。
【００３８】
スピーカ３０３は呼び出し信号、受信信号に基づいて音声信号を発生してカバー３０１を振動させる。使用者は受話部３０を耳の近傍の部位に当てることによりカバー３０１から発生する振動を骨伝導により内耳へと伝送することができる。
【００３９】
従って、上述した本発明の実施例の骨伝導電話機１０によれば、発光ダイオード７０４
から発光される光は、リング状の表示面３０２の外周外に位置した遮光シート７０９に当たって透光リング７０３に直接入り込まず拡散された光のみが入り込むように構成されている。そのため、表示面３０２からは発光ダイオード７０４、遮光シート７０９が直視されず広く拡散された光だけが認められるので、表示面３０２は全体的に輝度の差異を少なくして照明ムラのない発光状態となる。
【００４０】
また、透光リング７０３には、リング状の表示面３０２の外周の外側に凹部７０８が形成され、この凹部７０８内の発光ダイオード７０４の発光方向に垂立する壁面に遮光シート７０９が配置されて構成されている。そのため、遮光シート７０９の配置が正確に、しかもコンパクトにできる。
【００４１】
また、遮光シート７０９は凸状に形成することにより、発光ダイオード７０４からの光をより一層広く拡散することができる。そのため、リング状の表示面３０２には広く拡散された光が照射されるので全体的に輝度の差異のない発光状態を確実に得ることができる。
【００４２】
なお、上記実施例においては、リング状光学的表示面付き電子機器として骨伝導電話機１０を適用した場合について説明したが、本発明はこれに限定されることなくリング状の光学的な表示面を有する各種情報処理、各種制御のための電子機器に適用できる。
【００４３】
また、上記実施例においては、遮光面は凹部７０８の壁面に付した別体の遮光シート７０９によって構成したが、本発明はこのような構成に限定されることなく、透光面は透光リング７０３を形成すると同時に一体に形成してもよい。また、遮光面である遮光シート７０９は反射率を高めるために反射率の高い材料を塗布するなどの処理を施してもよい。
【００４４】
更にまた、上記実施例においては、透光リング７０３は一方の端面の表示面３０２から下方の端面の凹部７０８に至るまで一体に形成されているが、本発明はこのような構成に限定されることなく、透光リング７０３は上方の部分と下方の部分とに２分割して中間を中空状にしたものであってもよい。また、透光リング７０３には鍔７０７が一体に形成されているが、この鍔７０７を別体にしたものであってもよい。
【００４５】
また、上記実施例においては、発光面７０３はリング状に形成されているが、このリング状は円形に限らず楕円形など種々の形状のものであってもよい。
【符号の説明】
【００４６】
１０・・・・骨伝導電話機
２０・・・・ケース
３０・・・・受話部
４０・・・・送話部
５０・・・・操作部
６０・・・・ディスプレイ
７０・・・・光源部
２０１・・・フロントケース
２０２・・・バックケース
２０３・・・開口
３０１・・・カバー
３０２・・・表示面
３０４・・・取付けフレーム
３０３・・・スピーカ
７０１・・・支持フレーム
７０２・・・リング状プリント基板
７０３・・・透光リング
７０４・・・発光ダイオード
７０５・・・プリント基板支持鍔
７０６・・・外周リブ
７０７・・・鍔
７０８・・・凹部
７０９・・・遮光シート
【図１】
2011243411.tif 000003
【図２】
2011243411.tif 000004
【図３】
2011243411.tif 000005
【図４】
2011243411.tif 000006
【図５】
2011243411.tif 000007
【図６】
2011243411.tif 000008